【手続補正書】
【提出日】平成19年3月23日(2007.3.23)
【手続補正１】
【補正対象書類名】明細書
【補正対象項目名】特許請求の範囲
【補正方法】変更
【補正の内容】
【特許請求の範囲】
【請求項１】
透明ポリマー製の基材上に複屈折層の形成材料を塗工して塗工膜を形成する工程および前記塗工膜を固化することによって、前記基材上に複屈折層を形成する工程を有する、基材と複屈折層とを含む光学フィルムの製造方法であって、
前記形成材料の塗工が、前記形成材料を溶剤に分散または溶解させた形成材料液の塗工であり、
前記溶剤として、前記基材に対して溶解性を示す溶剤を使用し、かつ前記複屈折層の形成材料が非液晶性ポリマーであり、かつ前記複屈折層が、ｎｘ＞ｎｙ＞ｎｚという光学特性を有することを特徴とする光学フィルムの製造方法。
なお、ｎｘ、ｎｙおよびｎｚは、前記複屈折層におけるＸ軸、Ｙ軸およびＺ軸方向の屈折率をそれぞれ示し、前記Ｘ軸方向とは、前記複屈折層の面内において最大の屈折率を示す軸方向であり、Ｙ軸方向は、前記面内において前記Ｘ軸に対して垂直な軸方向であり、Ｚ軸方向は、前記Ｘ軸およびＹ軸に垂直な厚み方向を示す。
【請求項２】
さらに、前記基材を延伸または収縮させて、それに伴い前記塗工膜を延伸または収縮させる工程を含む請求項１記載の製造方法。
【請求項３】
前記基材の材料がトリアセチルセルロースであって、前記溶剤が、酢酸エチル、シクロヘキサノン、シクロペンタノンおよびアセトンからなる群から選択された少なくとも一つの溶剤である請求項１または２記載の製造方法。
【請求項４】
前記基材の材料が、イソブテン・Ｎ−メチルマレイミド共重合体およびアクリロニトリル・スチレン共重合体の少なくとも一方であって、前記溶剤が、酢酸エチル、メチルイソブチルケトン、メチルエチルケトン、シクロヘキサノン、シクロペンタノンおよびアセトンからなる群から選択された少なくとも一つの溶剤である請求項１または２記載の製造方法。
【請求項５】
前記非液晶性ポリマーが、ポリアミド、ポリイミド、ポリエステル、ポリアリールエーテルケトン、ポリエーテルケトン、ポリアミドイミドおよびポリエステルイミドからなる群から選択される少なくとも一種のポリマーである請求項１〜４のいずれかに記載の製造方法。
【請求項６】
前記複屈折層の厚み（Ｄ（ａ））に対して、前記基材における前記溶剤が浸透した部分の厚み（Ｄ（ｙ））が、以下の条件を満たす請求項１〜５のいずれか一項に記載の製造方法。
Ｄ（ｙ）＞Ｄ（ａ）×０．０１
【請求項７】
請求項１〜６のいずれか一項に記載の光学フィルムの製造方法によって製造された、基材と前記基材上に直接積層された複屈折層とを含む光学フィルム。
【請求項８】
前記複屈折層と前記基材とが、以下に示す（Ｉ）から（ＩＩＩ）の全ての条件を満たす請求項７記載の光学フィルム。
Δｎ（ａ）＞Δｎ（ｂ）×１０                          （Ｉ）
１＜（ｎｘ−ｎｚ）／（ｎｘ−ｎｙ）                （ＩＩ）
０．０００５≦Δｎ（ａ）≦０．５                    （ＩＩＩ）
前記条件（Ｉ）〜（ＩＩＩ）中、Δｎ（ａ）は、前記複屈折層の複屈折率であり、Δｎ（ｂ）は、前記基材の複屈折率であり、それぞれ下記数式で表され、下記数式において、ｎｘ、ｎｙおよびｎｚは、それぞれ前記複屈折層におけるＸ軸、Ｙ軸およびＺ軸方向の屈折率を示し、ｎｘ′
、ｎｙ′およびｎｚ′は、前記基材におけるＸ軸、Ｙ軸およびＺ軸方向の屈折率を示し、前記Ｘ
軸方向とは、前記複屈折層および前記基材の面内において最大の屈折率を示す軸方向であり、Ｙ軸方向は、前記面内において前記Ｘ軸に対して垂直な軸方向であり、Ｚ軸方向は、前記Ｘ軸およびＹ軸に垂直な厚み方向を示す。
Δｎ（ａ）＝［（ｎｘ＋ｎｙ）／２］−ｎｚ
Δｎ（ｂ）＝［（ｎｘ′＋ｎｙ′）／２］−ｎｚ′
【請求項９】
光学フィルムと偏光子とを含む積層偏光板であって、前記光学フィルムが、請求項７または８記載の光学フィルムである積層偏光板。
【請求項１０】
液晶セルおよび光学部材を含み、前記液晶セルの少なくとも一方の表面に前記光学部材が配置された液晶パネルであって、前記光学部材が、請求項７または８記載の光学フィルムおよび請求項９記載の積層偏光板の少なくとも一方である液晶パネル。
【請求項１１】
液晶パネルを含む液晶表示装置であって、前記液晶パネルが請求項１０記載の液晶パネルである液晶表示装置。
【請求項１２】
請求項７または８記載の光学フィルムおよび請求項９記載の積層偏光板の少なくとも一つを含む自発光型表示装置。
【手続補正２】
【補正対象書類名】明細書
【補正対象項目名】０００７
【補正方法】変更
【補正の内容】
【０００７】
【課題を解決するための手段】
前記目的を達成するために、本発明の光学フィルムの製造方法は、
透明ポリマー製の基材上に複屈折層の形成材料を塗工して塗工膜を形成する工程および前記塗工膜を固化することによって、前記基材上に複屈折層を形成する工程を有する、基材と複屈折層とを含む光学フィルムの製造方法であって、
前記形成材料の塗工が、前記形成材料を溶剤に分散または溶解させた形成材料液の塗工であり、前記溶剤として、前記基材に対して溶解性を示す溶剤を使用し、かつ前記複屈折層の形成材料が非液晶性ポリマーであり、かつ前記複屈折層が、ｎｘ＞ｎｙ＞ｎｚという光学特性を有することを特徴とする。なお、ｎｘ、ｎｙおよびｎｚは、前記複屈折層におけるＸ軸、Ｙ軸およびＺ軸方向の屈折率をそれぞれ示し、前記Ｘ軸方向とは、前記複屈折層の面内において最大の屈折率を示す軸方向であり、Ｙ軸方向は、前記面内において前記Ｘ軸に対して垂直な軸方向であり、Ｚ軸方向は、前記Ｘ軸およびＹ軸に垂直な厚み方向を示す。
【手続補正３】
【補正対象書類名】明細書
【補正対象項目名】００１０
【補正方法】変更
【補正の内容】
【００１０】
【発明の実施の形態】
本発明の光学フィルムの製造方法は、前述のように、透明ポリマー製の基材上に複屈折層の形成材料を塗工して塗工膜を形成する工程および前記塗工膜を固化することによって、前記基材上に複屈折層を形成する工程を有する、基材と複屈折層とを含む光学フィルムの製造方法であって、前記形成材料の塗工が、前記形成材料を溶剤に分散または溶解させた形成材料液の塗工であり、前記溶剤として、前記基材に対して溶解性を示す溶剤を使用し、前記塗工膜の形成工程において、前記基材内部に前記溶剤を浸透させることを特徴とする。また、本発明の製造方法においては、前記複屈折層がｎｘ＞ｎｙ＞ｎｚという光学特性を有することも特徴とする。なお、ｎｘ、ｎｙおよびｎｚは、前記複屈折層におけるＸ軸、Ｙ軸およびＺ軸方向の屈折率をそれぞれ示し、前記Ｘ軸方向とは、前記複屈折層の面内において最大の屈折率を示す軸方向であり、Ｙ軸方向は、前記面内において前記Ｘ軸に対して垂直な軸方向であり、Ｚ軸方向は、前記Ｘ軸およびＹ軸に垂直な厚み方向を示す。
【手続補正４】
【補正対象書類名】明細書
【補正対象項目名】００１３
【補正方法】変更
【補正の内容】
【００１３】
前記複屈折層の形成材料としては、非液晶性ポリマーである。このような非液晶性材料を用いれば、例えば、液晶性材料とは異なり、基材の配向性に関係なく、それ自身の性質により光学的に負の一軸性（ｎｘ＞ｎｚ）、（ｎｙ＞ｎｚ）を示す膜が形成できる。このため、例えば、使用する前記透明ポリマー製基板としては、配向基板に限定されることもなく、例えば、未配向基板であっても、液晶材料を使用する場合のように、その表面に配向膜を塗布により形成したり、積層する必要がない。